(57)【要約】【課題】コンセント本体のプラグ電極差込口に対する電源プラグの電極の着脱を容易に行うことができるとともに、開放状態のカバーが破損するおそれを防止することができる電源コンセントを提供する。【解決手段】取付壁３１の開口３３内に、コンセント本体３７を開口３３に対して出没する方向に移動可能に設ける。取付壁３１の外側面位置には、その外側面と平行に移動することにより開口３３を開閉するカバー４０を設ける。カバー４０の開放状態においてコンセント本体３７を突出位置に保持するための保持機構４２を設ける。【選択図】図２
2014099265.tif 000002
【特許請求の範囲】
【請求項１】
取付壁（３１）の開口（３３）内にコンセント本体（３７）を前記開口（３３）の前面から出没可能に設けるとともに、取付壁（３１）の外側面と平行に移動することにより開口（３３）を開閉するカバー（４０）を設け、そのカバー（４０）の開放状態においてコンセント本体（３７）を突出位置に保持するための保持機構（４２）を設けたことを特徴とする電源コンセント。
【請求項２】
前記カバー（４０）は、閉鎖状態において開口（３３）の内縁部に係合して閉鎖状態に保持されるとともに、開放状態において突出位置のコンセント本体（３７）の縁部に係合してその開放状態に保持されるようにしたことを特徴とする請求項１に記載の電源コンセント。
【請求項３】
前記保持機構（４２）は、コンセント本体（３７）の前面が取付壁（３１）の外側面と対応する位置またはその位置よりも突出する位置においてコンセント本体（３７）を保持するようにしたことを特徴とする請求項１または２に記載の電源コンセント。
【請求項４】
前記保持機構（４２）は、コンセント本体（３７）を突出方向に付勢する本体用バネ（４３）と、突出位置におけるコンセント本体（３７）の突出方向への移動を規制するストッパ機構（４４）と、突出位置のコンセント本体（３７）を没入方向へ移動不能にロックするロック機構（４５）とより構成したことを特徴とする請求項１〜３のうちのいずれか一項に記載の電源コンセント。
【請求項５】
前記ロック機構（４５）は、コンセント本体（３７）を出没方向と交差する方向に移動させることによってコンセント本体（３７）のロックを解除することを特徴とする請求項４に記載の電源コンセント。
【請求項６】
前記保持機構（４２）は、コンセント本体（３７）を没入方向に付勢する本体用バネ（４３）と、前記本体用バネ（４３）の付勢力に抗してコンセント本体（３７）を突出位置に保持するハートカムストッパ機構（６３）とより構成したことを特徴とする請求項１〜３のうちのいずれか一項に記載の電源コンセント。
【請求項７】
前記カバー（４０）を閉鎖方向に付勢するカバー用バネ（４１）を設けたことを特徴とする請求項１〜５のうちのいずれか一項に記載の電源コンセント。
【請求項８】
前記カバー（４０）とコンセント本体（３７）との間に、カバー（４０）の開閉動作に連動してコンセント本体（３７）を出没動作させるための連動機構（５５）を設けたことを特徴とする請求項１〜６のうちのいずれか一項に記載の電源コンセント。
【請求項９】
前記保持機構（４２）のストッパ機構（４４）をハートカムストッパ機構（６３）により構成して、そのハートカムストッパ機構（６３）によりコンセント本体（３７）が本体用バネ（４３）の付勢力に抗して没入位置に保持されるようにするとともに、没入位置のコンセント本体（３７）を閉鎖位置のカバー（４０）により押し込み可能に構成して、そのコンセント本体（３７）の押し込み動作によってハートカムストッパ機構（６３）による没入位置でのコンセント本体（３７）の保持が解放されるようにしたことを特徴とする請求項１〜５のうちのいずれか一項に記載の電源コンセント。
【発明の詳細な説明】
【技術分野】
【０００１】
この発明は、電気器具等の電源プラグを差し込み可能にした電源コンセントに関するものである。
【背景技術】
【０００２】
従来、この種の電源コンセントとしては、例えば特許文献１に開示されている。
この従来構成においては、取付壁の開口内にコンセント本体が取り付けられている。前記開口には一対のカバーが開閉可能に設けられ、バネにより閉鎖方向に付勢されている。そして、電源コンセントに対する電気機器の電源プラグの接続時には、カバーを開放させるようになっている。また、カバーが閉鎖された状態においては、コンセント本体のプラグ電極差込口がカバーにより覆われて、その差込口内への異物の侵入が防止されるとしている。
【先行技術文献】
【特許文献】
【０００３】
【特許文献１】特開平７−３２０８１２号公報
【発明の概要】
【発明が解決しようとする課題】
【０００４】
この従来構成の電源コンセントにおいては、コンセント本体が取付壁の開口内に取付壁の外側面よりも凹んだ位置に設けられている。このため、コンセント本体のプラグ電極差込口に対する電源プラグの着脱がやりにくいという問題があった。
【０００５】
また、この従来構成の電源コンセントにおいて、カバーが開放回動されたとき、取付壁の外側面よりも前方に大きく突出される。このため、突出状態のカバーが他のものと衝突して破損するおそれがあるという問題もあった。
【０００６】
この発明は、このような従来の技術に存在する問題点に着目してなされたものである。その目的は、コンセント本体のプラグ電極差込口に対する電源プラグの電極の着脱を容易に行うことができるとともに、開放状態のカバーが破損するおそれを防止することができる電源コンセントを提供することにある。
【課題を解決するための手段】
【０００７】
上記の目的を達成するために、この発明は、取付壁の開口内にコンセント本体を前記開口の前面から出没可能に設けるとともに、取付壁の外側面と平行に移動することにより開口を開閉するカバーを設け、そのカバーの開放状態においてコンセント本体を突出位置に保持するための保持機構を設けたことを特徴としている。
【０００８】
従って、この発明の電源コンセントにおいては、カバーを開放させると、コンセント本体が取付壁の開口内で突出位置に移動されて、保持機構によりその突出位置に保持される。よって、コンセント本体の前面に設けられたプラグ電極差込口に対する電源プラグの電極の着脱を、取付壁の外側面付近において容易に行うことができる。また、カバーが取付壁の外側面と平行に開閉移動されるため、カバーが開放状態において取付壁の外側面よりも前方に大きく突出配置されることはない。よって、開放状態のカバーが他のものとの衝突により破損するおそれを防止することもできる。
【発明の効果】
【０００９】
以上のように、この発明によれば、コンセント本体に対する電源プラグの着脱を容易に行うことができるとともに、開放状態のカバーが破損するおそれを防止することができるという効果を発揮する。
【図面の簡単な説明】
【００１０】
【図１】第１実施形態の電源コンセントを示す要部斜視図。
【図２】図１の２−２線における部分拡大断面図。
【図３】図２の３−３線における部分断面図。
【図４】図２の４−４線における部分断面図。
【図５】図４の５−５線における部分拡大断面図。
【図６】図２の６−６線における部分断面図。
【図７】図６の一部拡大断面図。
【図８】図１の電源コンセントのカバーを開放した状態を示す要部斜視図。
【図９】同カバーの開放状態における図２に対応する部分断面図。
【図１０】同カバーの開放状態における図３に対応する部分断面図。
【図１１】第２実施形態の電源コンセントを示す要部斜視図。
【図１２】図１１の１２−１２線における部分拡大断面図。
【図１３】図１２の１３−１３線における部分断面図。
【図１４】図１３の１４−１４線における部分拡大断面図。
【図１５】図１２の１５−１５線における部分断面図。
【図１６】図１１の電源コンセントのカバーを開放した状態を示す要部斜視図。
【図１７】第３実施形態の電源コンセントを示す要部斜視図。
【図１８】図１７の１８−１８線における部分拡大断面図。
【図１９】図１８の１９−１９線における部分断面図。
【図２０】図１９の２０−２０線における部分拡大断面図。
【図２１】図１７の電源コンセントのカバーを開放した状態を示す要部斜視図。
【図２２】第４実施形態の電源コンセントを示す要部正面図。
【発明を実施するための形態】
【００１１】
（第１実施形態）
以下に、この発明を具体化した電源コンセントの第１実施形態を図１〜図１０に従って説明する。この実施形態は乗用車等に搭載された車載電源コンセントにおいて具体化されたものである。
【００１２】
図１〜図４に示すように、インストルメントパネルやセンターコンソール等の壁よりなる取付壁３１の一部には、電源コンセント３２を取り付けるための四角筒状の開口３３が形成されている。この開口３３内には、取付ケース３４が嵌合されて固定されている。取付ケース３４内の後部側に位置する縦壁３４１には、コード３５を介してバッテリ電源に接続される一対の固定端子３６が貫通固定されている。取付ケース３４内には、コンセント本体３７が開口３３の前面から出没する方向へ移動可能に、かつその出没方向と交差する左右方向へ微小移動可能に配置されている。
【００１３】
そして、このコンセント本体３７が、図２〜図４に示す開口３３内の没入位置と、図８〜図１０に示す開口３３の前方への突出位置とに配置される。この場合、コンセント本体３７が突出位置にある状態においては、そのコンセント本体３７の前面が取付壁３１の外側面と対応する位置またはその位置よりもわずかに突出する位置（実施形態では取付壁３１の外側面よりもわずかに突出する位置）に配置されるように、後述する保持機構４２によって同コンセント本体３７が位置決め保持される。
【００１４】
図２、図３及び図８に示すように、前記コンセント本体３７の前面には、電気器具の電源プラグ３８の電極３８１を差し込むための一対の差込口３７１が形成されている。コンセント本体３７内において差込口３７１と対応する位置には、電源プラグ３８の電極３８１に接続可能な一対の接続端子３９が設置されている。各接続端子３９の後部には、固定端子３６に摺動可能に接触する接触部３９１がコンセント本体３７の後方に向かって突出されている。
【００１５】
図１〜図４及び図６に示すように、前記取付壁３１の外側面位置には、開口３３を開閉するためのカバー４０が上下方向へ移動可能に配置されている。カバー４０の下端部の左右両側縁と取付ケース３４の内側面との間には、カバー４０を閉鎖方向に付勢するための一対のカバー用バネ４１が介在されている。このカバー用バネ４１は全長が伸縮可能である。図７に示すように、カバー用バネ４１の端部とカバー４０との間には、巻きバネよりなる補助バネ４０２が介在されており、この補助バネ４０２は、カバー４０が直立状態を維持するようにカバー４０を付勢している。
【００１６】
そして、カバー４０が、図１〜図４及び図６に示す閉鎖状態と、図８〜図１０に示す開放状態とに切換え配置される。この場合、カバー４０が閉鎖状態に配置された状態では、開口３３の内縁部の下部との係合によって閉鎖状態に保持され、カバー４０が開放状態に配置された状態では、突出位置のコンセント本体３７の前端上縁部との係合によって開放状態に保持される。
【００１７】
カバー４０の上端内部及び取付壁３１の開口３３の上縁には、カバー４０と開口３３との干渉を避けて、カバー４０を円滑に上昇させるための斜面４０１，３１１が形成されている。
【００１８】
図２、図４、図５及び図９に示すように、コンセント本体３７と取付ケース３４との間には、カバー４０の開放状態においてコンセント本体３７を突出位置に保持するための保持機構４２が設けられている。この保持機構４２は、コンセント本体３７を突出方向に付勢する本体用バネ４３と、突出位置におけるコンセント本体３７の突出方向への移動を規制するストッパ機構４４と、突出位置のコンセント本体３７を没入方向へ移動不能にロックするロック機構４５とより構成されている。
【００１９】
図４及び図５に示すように、前記ストッパ機構４４は、取付ケース３４の上壁内面に突出形成された環状の係合壁４６と、その係合壁４６の内周面に係合するようにコンセント本体３７の上面に突設された弾性材からなる係合ピン４７とより構成されている。そして、コンセント本体３７が突出位置に移動配置された状態で、図５に鎖線で示すように、係合ピン４７が係合壁４６の前端内面に係合することにより、本体用バネ４３の付勢力によるコンセント本体３７の突出方向への移動が規制される。
【００２０】
図２及び図９に示すように、前記ロック機構４５は、取付ケース３４内においてコンセント本体３７を図１の左側方（図２及び図８の上方）に移動付勢する横付勢用バネ４８を備えている。また、ロック機構４５は、取付ケース３４の左側壁の内面に形成された係合突部４９と、その係合突部４９と係合するようにコンセント本体３７の後面に回動可能に取り付けられた係合爪５０と、その係合爪５０を係合突部４９との係合位置に向かって回動付勢する爪用バネ５１とを備えている。
【００２１】
そして、図９に示すように、コンセント本体３７が突出位置に移動された状態で、係合爪５０が係合突部４９に係合されることにより、コンセント本体３７が突出位置において没入方向へ移動不能にロックされる。また、このコンセント本体３７のロック状態において、図８に矢印で示すように、コンセント本体３７が横付勢用バネ４８の付勢力に抗して出没方向と交差する図１の右側方に移動されることにより、係合爪５０が係合突部４９から離脱されて、コンセント本体３７のロックが解除される。
【００２２】
次に、前記のように構成された電源コンセントの作用を説明する。
図１〜図６に示す状態では、電源コンセント３２のコンセント本体３７が取付壁３１の開口３３内の没入位置に配置されるとともに、カバー４０がカバー用バネ４１のバネ力により開口３３を閉鎖する閉鎖状態に配置されている。この状態においては、カバー４０が開口３３の内縁部との係合により閉鎖状態に保持されて、カバー４０の前面が取付壁３１の外側面と同一面上に配置されているため、カバー４０が突出されることなく、取付壁３１の外側面の美観が良好に維持される。また、この状態では、図３に示すように、コンセント本体３７の前面に設けられた差込口３７１が閉鎖状態のカバー４０によって覆われているため、差込口３７１内に誤って異物が挿入されるおそれはない。
【００２３】
この状態の電源コンセント３２に電気機器の電源プラグ３８を接続する場合には、カバー４０をカバー用バネ４１の付勢力に抗して上方に移動させると、取付壁３１の開口３３が開放されるとともに、取付壁３１の斜面３１１とカバー４０の斜面４０１との係合によって、カバー４０が取付壁３１の前面側に重ねられる。
【００２４】
カバー４０の開放により、コンセント本体３７が本体用バネ４３の付勢力により前方に突出される。このため、図８〜図１０に示すように、その前面が取付壁３１の外側面よりも前方の突出位置に配置される。このとき、保持機構４２におけるストッパ機構４４の係合ピン４７が係合壁４６の前端内面に係合されるとともに、ロック機構４５の係合爪５０が係合突部４９に係合される。これにより、コンセント本体３７は前方位置において突出方向及び没入方向の双方向とも移動不能に保持されている。それとともに、カバー４０が突出位置のコンセント本体３７の縁部に係合されることによって開放状態に保持される。
【００２５】
従って、この状態でコンセント本体３７の差込口３７１に電源プラグ３８の電極３８１を差し込むことにより、その電極３８１をコンセント本体３７内の接続端子３９に接続させることができる。このとき、コンセント本体３７が突出位置に配置されて、差込口３７１が取付壁３１の外側面よりも前方の位置に配置されるとともに、その位置でロックされている。このため、差込口３７１に対する電源プラグ３８の電極３８１の差し込みを、取付壁３１の外側面よりも前方の位置において安定した状態で容易に行うことができる。
【００２６】
また、この状態では、開放状態のカバー４０が取付壁３１の外側面より前方に大きく突出することなく、取付壁３１に重ねられているため、カバー４０が他のものと衝突したりすることを防止できて、カバー４０が破損したり、邪魔になったりするおそれはない。
【００２７】
次に、電源プラグ３８を電源コンセント３２から取り外す場合には、コンセント本体３７の差込口３７１に電源プラグ３８の電極３８１を差し込んだままの状態で、コンセント本体３７を図１の右側方に移動させる。このようにすれば、ロック機構４５の係合爪５０が係合突部４９から離脱されて、突出位置におけるコンセント本体３７のロックが解除される。それと同時に、コンセント本体３７の差込口３７１から電源プラグ３８の電極３８１を抜き取るとともに、コンセント本体３７を本体用バネ４３の付勢力に抗して突出位置から没入位置に押し込み移動させる。すると、カバー４０がカバー用バネ４１の付勢力により開放状態から下方に移動されて、コンセント本体３７を没入させながら、図２〜図４に示すように、取付壁３１の開口３３を閉鎖する閉鎖状態に配置される。そして、コンセント本体３７の前面が閉鎖状態のカバー４０に接合されることにより、コンセント本体３７が本体用バネ４３の付勢力に抗して没入位置に保持される。
【００２８】
従って、この実施形態によれば、以下のような効果を得ることができる。
（１）  この電源コンセントにおいては、取付壁３１の開口３３内にコンセント本体３７が開口３３の前面から出没する方向に移動可能に設けられている。取付壁３１の外側面位置には、その外側面と平行に移動することにより開口３３を開閉するカバー４０が設けられている。カバー４０の開放状態においてコンセント本体３７を突出位置に保持するための保持機構４２が設けられている。
【００２９】
このため、この電源コンセント３２においては、カバー４０を開放させると、コンセント本体３７が取付壁３１の開口３３内で突出位置に移動されて、保持機構４２によりその突出位置に保持される。よって、コンセント本体３７の前面に設けられたプラグ電極差込口３７１に対する電源プラグ３８の電極３８１の着脱を、安定した状態で取付壁３１の外側面付近において容易に行うことができる。また、カバー４０が取付壁３１の外側面と平行状態を維持しながら開閉されるため、カバー４０が開放状態において取付壁３１の外側面よりも前方に大きく突出配置されることはない。よって、開放状態のカバー４０が他のものとの衝突により破損したりするおそれを防止することもできる。
【００３０】
（２）  この電源コンセントにおいては、前記カバー４０が、閉鎖状態において開口３３の内縁部に係合して閉鎖状態に保持されるとともに、開放状態において突出位置のコンセント本体３７の縁部に係合して開放状態に保持される。このため、カバー４０の閉鎖状態においては、そのカバー４０の前面を取付壁３１の外側面と同一面上に配置することができる。また、カバー４０の開放状態においては、突出位置のコンセント本体３７の縁部との係合により、カバー４０を開放状態に保持することができる。このため、取付壁３１の外観を良好に維持できる。
【００３１】
（３）  この電源コンセントにおいては、前記保持機構４２によりコンセント本体３７が、その前面を取付壁３１の外側面よりも突出させた位置において保持される。このため、コンセント本体３７のプラグ電極差込口３７１に対する電源プラグ３８の電極３８１の着脱を、取付壁３１の外側面よりも前方の位置において容易に行うことができる。
【００３２】
（４）  この電源コンセントにおいては、前記保持機構４２が、コンセント本体３７を突出方向に付勢する本体用バネ４３と、突出位置におけるコンセント本体３７の突出方向への移動を規制するストッパ機構４４と、突出位置のコンセント本体３７を没入方向へ移動不能にロックするロック機構４５とより構成されている。このため、カバー４０の開放時に、本体用バネ４３の付勢力によりコンセント本体３７を突出位置に移動させることができるとともに、ストッパ機構４４及びロック機構４５により、突出位置のコンセント本体３７を突出方向及び没入方向に移動しないように保持することができる。従って、コンセント本体３７に対する電源プラグ３８の着脱を安定した状態で容易に行なうことができる。
【００３３】
（５）  この電源コンセントにおいては、前記ロック機構４５が、コンセント本体３７を出没方向と交差する方向に移動させることによってコンセント本体３７のロックを解除するようになっている。このため、ロック機構４５により突出位置にロックされたコンセント本体３７を、出没方向と交差する方向に移動させるのみで、ロック解除することができる。従って、電源プラグ３８の取り外しとロック解除とを片手操作で連続して容易に行なうことができる。
【００３４】
（６）  この電源コンセントにおいては、前記カバー４０を閉鎖方向に付勢するカバー用バネ４１が設けられている。このため、カバー用バネ４１の付勢力により、カバー４０を開放状態から自動的に閉鎖させることができる。
【００３５】
（第２実施形態）
次に、この発明を具体化した電源コンセントの第２実施形態を説明する。なお、この第２実施形態以降の各実施形態及び変更例については、第１実施形態と異なる部分を中心に説明する。
【００３６】
この第２実施形態においては、図１１〜図１６に示すように、上下一対のカバー４０が設けられ、取付壁３１の開口３３を閉鎖する閉鎖状態と、開口３３の上下に移動されて開口３３を開放する開放状態とに配置される。この実施形態では、前記第１実施形態のカバー用バネ４１に相当するバネは設けられていない。
【００３７】
各カバー４０の左右両側縁とコンセント本体３７の両側面との間に、カバー４０の開閉動作に連動してコンセント本体３７を出没動作させるための一対の連動機構５５が設けられている。
【００３８】
図１５に示すように、前記連動機構５５においては、取付ケース３４の内側面に一対の回動レバー５６が支軸５７を中心に回動可能に取り付けられている。各回動レバー５６の先端部は、ピン５８により各カバー４０の側縁に連結されている。各回動レバー５６の基端部には、扇形歯車５９が形成されている。コンセント本体３７の側面には、各扇形歯車５９に噛合する一対のピニオン６０が支軸６１を介して回転可能に支持されている。取付ケース３４の内側面には、両ピニオン６０に噛合する上下両歯のラック６２が突設されている。
【００３９】
そして、両カバー４０が図１５に実線で示す閉鎖状態から鎖線で示す開放状態に移動されたときは、両回動レバー５６が矢印方向に回動されて、両扇形歯車５９を介して両ピニオン６０がラック６２に噛合した状態で回動レバー５６と反対方向に回転される。これにより、両ピニオン６０の支軸６１に前方への移動力が生起されて、コンセント本体３７が実線で示す没入位置から鎖線で示す突出位置に移動される。これに対して、両カバー４０が鎖線で示す開放状態から実線で示す閉鎖状態に移動されたときは、両回動レバー５６、両扇形歯車５９及び両ピニオン６０が前記の場合と逆方向に回転されて、支軸６１に後方への移動力が生起され、コンセント本体３７が鎖線で示す突出位置から実線で示す没入位置に移動される。
【００４０】
さらに、この実施形態においては、コンセント本体３７を突出位置に保持するための保持機構４２のストッパ機構が、ハートカムストッパ機構６３により構成されている。このハートカムストッパ機構６３は、取付ケース３４の上壁内面に突出形成された係合凹部６４及びその係合凹部６４を包囲する環状ハート形の周壁部６５と、その係合凹部６４及び周壁部６５の内面に係合するようにコンセント本体３７の上面に突設された弾性材からなる係合ピン６６とより構成されている。また、この実施形態においては、没入位置のコンセント本体３７が閉鎖位置のカバー４０によって押し込み移動可能に構成されている。
【００４１】
そして、コンセント本体３７が突出位置に移動配置された状態においては、図１４に鎖線で示すように、ハートカムストッパ機構６３の係合ピン６６が周壁部６５の前端内面に係合することにより、本体用バネ４３によるコンセント本体３７の突出方向への移動が規制される。また、コンセント本体３７が没入位置に移動配置された状態においては、図１４に実線で示すように、係合ピン６６が係合凹部６４に係合することにより、コンセント本体３７が本体用バネ４３の付勢力に抗して没入位置に保持される。さらに、このコンセント本体３７の保持状態において、閉鎖位置のカバー４０が押圧操作されたときには、連動機構５５を介してコンセント本体３７が押し込み動作されて、係合ピン６６が係合凹部６４から離脱され、没入位置でのコンセント本体３７の保持が解放される。
【００４２】
この実施形態は以下のように作用する。
図１１〜図１５に示す状態では、電源コンセント３２のコンセント本体３７が開口３３内の没入位置に配置されて、ハートカムストッパ機構６３の作用により没入位置に保持されている。また、この状態では、両カバー４０が連動機構５５を介して閉鎖状態に配置されて、開口３３が閉鎖されている。この状態の電源コンセント３２に電源プラグ３８を接続する場合には、閉鎖位置のカバー４０を押圧操作すると、連動機構５５を介してコンセント本体３７が押し込み動作され、ハートカムストッパ機構６３が解除動作されて、没入位置におけるコンセント本体３７の保持が解放される。
【００４３】
このようにすると、コンセント本体３７が本体用バネ４３の付勢力により図１３及び図１５に実線で示す没入位置から鎖線で示す突出位置に移動されて、ハートカムストッパ機構６３及びロック機構４５の作用により、突出位置において突出方向及び没入方向へ移動不能に保持される。このとき、コンセント本体３７の没入位置から突出位置への移動に伴い、連動機構５５を介してカバー４０が図１５に実線で示す閉鎖状態から鎖線で示す開放状態に移動される。よって、この状態において、図１６に示すように、コンセント本体３７の差込口３７１に電源プラグ３８の電極３８１を差し込むことにより、その電極３８１をコンセント本体３７内の接続端子３９に接続させることができる。
【００４４】
さらに、電源プラグ３８を電源コンセント３２から取り外す場合には、前記第１実施形態の場合と同様に、コンセント本体３７の差込口３７１に対する電源プラグ３８の差し込み状態のままで、コンセント本体３７を右側方に移動させる。すると、ロック機構４５が解除動作されて、突出位置におけるコンセント本体３７のロックが解除される。その後、差込口３７１から電源プラグ３８を抜き取るとともに、コンセント本体３７を本体用バネ４３の付勢力に抗して、図１３及び図１５に鎖線で示す突出位置から実線で示す没入位置に押し込み移動させる。すると、ハートカムストッパ機構６３の作用により、コンセント本体３７が没入位置に保持される。このとき、コンセント本体３７の突出位置から没入位置への移動に伴い、連動機構５５を介してカバー４０が図１５に鎖線で示す開放状態から実線で示す閉鎖状態に移動されて、開口３３が閉鎖される。
【００４５】
従って、この第２実施形態によれば、前記第１実施形態における（１）〜（５）に記載の効果に加えて、以下のような効果を得ることができる。
（７）  この電源コンセントにおいては、前記カバー４０とコンセント本体３７との間に、カバー４０の開閉動作に連動してコンセント本体３７を出没動作させるための連動機構５５が設けられている。このため、カバー４０を閉鎖状態から開放させる際、あるいはカバー４０を開放状態から閉鎖させる際に、カバー４０の開閉動作に連動してコンセント本体３７を自動的に出没動作させることができる。
【００４６】
（８）  この電源コンセントにおいては、前記保持機構４２のストッパ機構がハートカムストッパ機構６３により構成されて、そのハートカムストッパ機構６３によりコンセント本体３７が本体用バネ４３の付勢力に抗して没入位置に保持されるようになっている。また、没入位置のコンセント本体３７が閉鎖位置のカバー４０により押し込み可能に構成されて、そのコンセント本体３７の押し込み動作によってハートカムストッパ機構６３による没入位置でのコンセント本体３７の保持が解放される。
【００４７】
このため、カバー４０の閉鎖状態において、ハートカムストッパ機構６３によりコンセント本体３７を本体用バネ４３の付勢力に抗して没入位置に保持することができる。また、閉鎖位置のカバー４０によって没入位置のコンセント本体３７を押し込み動作させることにより、ハートカムストッパ機構６３による没入位置でのコンセント本体３７の保持が解放されて、そのコンセント本体３７を本体用バネ４３の付勢力により突出位置に移動させることができる。
【００４８】
（第３実施形態）
次に、この発明を具体化した電源コンセントの第３実施形態を説明する。
この第３実施形態においては、図１７〜図２１に示すように、前記保持機構４２が、コンセント本体３７を前記第１及び第２実施形態の場合とは逆の没入方向に付勢する本体用バネ６７と、その本体用バネ６７の付勢力に抗してコンセント本体３７を突出位置に保持するハートカムストッパ機構６３とより構成されている。この場合、図１９及び図２０に示すように、ハートカムストッパ機構６３の係合凹部６４及び周壁部６５が、前記第２実施形態の場合と前後逆向きの状態で形成されている。そして、コンセント本体３７が突出位置に移動配置された状態においては、図２０に鎖線で示すように、係合ピン６６が係合凹部６４に係合することにより、コンセント本体３７が本体用バネ６７の付勢力に抗して突出位置に保持されるようになっている。
【００４９】
この実施形態は以下のように作用する。
図１７〜図１９に示す状態では、電源コンセント３２のコンセント本体３７が没入位置に配置されるとともに、連動機構５５を介して両カバー４０が閉鎖状態に配置されている。この状態で、電源コンセント３２に電源プラグ３８を接続する場合には、両カバー４０を図１７に示す閉鎖状態から上下に開放移動させて図２１に示す開放状態に配置すると、連動機構５５を介してコンセント本体３７が本体用バネ６７の付勢力に抗して図１９に実線で示す没入位置から鎖線で示す突出位置に移動される。そして、この状態でハートカムストッパ機構６３の作用により、コンセント本体３７が本体用バネ６７の付勢力に抗して突出位置に保持される。よって、この状態において、図２１に示すように、コンセント本体３７の差込口３７１に電源プラグ３８の電極３８１を差し込んで、その電極３８１を接続端子３９に接続させることができる。
【００５０】
さらに、電源プラグ３８を電源コンセント３２から取り外す場合には、差込口３７１から電源プラグ３８を抜き取ると、コンセント本体３７が前方へ僅かに移動されて、ハートカムストッパ機構６３が解除動作され、突出位置におけるコンセント本体３７の保持が解放される。すると、コンセント本体３７が本体用バネ６７の付勢力により突出位置から没入位置に移動されるとともに、連動機構５５を介してカバー４０が開放状態から閉鎖状態に移動されて、開口３３が閉鎖される。
【００５１】
従って、この第３実施形態によれば、前記第１実施形態及び第２実施形態における（１）〜（３）及び（７）に記載の効果に加えて、以下のような効果を得ることができる。
（９）  この電源コンセントにおいては、前記保持機構４２が、コンセント本体３７を没入方向に付勢する本体用バネ６７と、その本体用バネ６７の付勢力に抗してコンセント本体３７を突出位置に保持するハートカムストッパ機構６３とより構成されている。このため、カバー４０の開放状態で、突出位置に移動されたコンセント本体３７をハートカムストッパ機構６３により、突出方向及び没入方向に移動しないように保持することができる。
【００５２】
（第４実施形態）
次に、この発明を具体化した電源コンセントの第４実施形態を説明する。
この第４実施形態においては、図２２に示すように、コンセント本体３７が縦長状となるように形成され、そのコンセント本体３７の前面に電源プラグ３８のための差込口３７１が一対ずつ上下に並べで設けられている。そして、カバー４０が左右方向に移動されて、開口３３に対する閉鎖状態と開放状態とに切換え配置される。カバー４０を開閉させたり、開閉位置で保持したりする構成や、コンセント本体３７を出し入れさせたり、保持したりする構成は、前記第１実施形態の構成を９０度配置転換したものと同様である。
【００５３】
従って、この第４実施形態によれば、前記第１実施形態における（１）〜（６）に記載の効果とほぼ同様の効果を得ることができる。
（変更例）
なお、この実施形態は、次のように変更して具体化することも可能である。
【００５４】
・  前記第１及び第２実施形態において、ロック機構４５の回動可能な係合爪５０を板バネによって構成すること。このようにすれば、爪用バネ５１が不要になる。
・  前記第４実施形態において、第２及び第３実施形態の場合と同様に一対のカバー４０を設けて、左右方向へ開閉移動されるように構成すること。
【符号の説明】
【００５５】
３１…取付壁、３２…電源コンセント、３３…開口、３４…取付ケース、３７…コンセント本体、３７１…差込口、３８…電源プラグ、３８１…電極、３９…接続端子、４０…カバー、４１…カバー用バネ、４２…保持機構、４３…本体用バネ、４４…ストッパ機構、４５…ロック機構、４６…係合壁、４７…係合ピン、４９…係合突部、５０…係合爪、５５…連動機構、５６…回動レバー、５９…扇形歯車、６０…ピニオン、６２…ラック、６３…ハートカムストッパ機構、６４…係合凹部、６５…周壁部、６６…係合ピン、６７…本体用バネ。
【図１】
2014099265.tif 000003
【図２】
2014099265.tif 000004
【図３】
2014099265.tif 000005
【図４】
2014099265.tif 000006
【図５】
2014099265.tif 000007
【図６】
2014099265.tif 000008
【図７】
2014099265.tif 000009
【図８】
2014099265.tif 000010
【図９】
2014099265.tif 000011
【図１０】
2014099265.tif 000012
【図１１】
2014099265.tif 000013
【図１２】
2014099265.tif 000014
【図１３】
2014099265.tif 000015
【図１４】
2014099265.tif 000016
【図１５】
2014099265.tif 000017
【図１６】
2014099265.tif 000018
【図１７】
2014099265.tif 000019
【図１８】
2014099265.tif 000020
【図１９】
2014099265.tif 000021
【図２０】
2014099265.tif 000022
【図２１】
2014099265.tif 000023
【図２２】
2014099265.tif 000024